(57)【要約】【課題】本発明は除湿装置に関するものであり、洗濯後の衣類の乾燥速度をさらなる向上を図ることを目的とするものである。【解決手段】制御部３４は、第１の回動部１８と第２の回動部とを動作が異なるように制御し、第１の風向変更部１６と第２の風向変更部１７とは、吹出口３の長辺方向に並び、第１の風向変更部１６は、吹出口３における一方短辺側に設けられ、第２の風向変更部１７は、吹出口３における他方短辺側に設けられ、第１の風向変更部１６と第２の風向変更部１７との回動軸は、吹出口３の長辺方向に延び、第１の風向変更部１６は、第１の風向変更部１６の吹出口３における他方短辺側の端部から下方および吹出口における短辺方向に延びた第１の他方整流板３５を設けた構成とした。【選択図】図６
2018141591.tif 000002
【特許請求の範囲】
【請求項１】
吸込口と上方に開口した横長の吹出口を有する本体ケースと、
前記本体ケース内に設けられた除湿部と、
前記吸込口から吸い込んだ空気を前記除湿部を介して前記吹出口へ送風する送風部と、
前記吹出口の上方に、上下方向へ回動自在に設けられた第１の風向変更部と第２の風向変更部と、
前記第１の風向変更部を回動させる第１の回動部と、
前記第２の風向変更部を回動させる第２の回動部と、
前記回動部を制御する制御部とを備え、
前記制御部は、前記第１の回動部と前記第２の回動部とを動作が異なるように制御し、
前記第１の風向変更部と前記第２の風向変更部とは、前記吹出口の長辺方向に並び、
前記第１の風向変更部は、前記吹出口における一方短辺側に設けられ、
前記第２の風向変更部は、前記吹出口における他方短辺側に設けられ、
前記第１の風向変更部と前記第２の風向変更部との回動軸は、前記吹出口の長辺方向に延び、
前記第１の風向変更部は、前記第１の風向変更部の前記吹出口における他方短辺側の端部から下方および前記吹出口における短辺方向に延びた第１の他方整流板を設けたことを特徴とする除湿装置。
【請求項２】
前記第２の風向変更部は、前記第２の風向変更部の前記吹出口における一方短辺側の端部から下方および前記吹出口における短辺方向に延びた第２の一方整流板を設けたことを特徴とする請求項１に記載の除湿装置。
【請求項３】
前記第１の風向変更部は、前記第１の風向変更部の前記吹出口における一方短辺側の端部から下方および前記吹出口における短辺方向に延びた第１の一方整流板を設けたことを特徴とする請求項１または２に記載の除湿装置。
【請求項４】
前記第２の風向変更部は、前記第２の風向変更部の前記吹出口における他方短辺側の端部から下方および前記吹出口における短辺方向に延びた第２の他方整流板を設けたことを特徴とする請求項１から３のいずれかに記載の除湿装置。
【請求項５】
前記送風部は、
スクロール形状のケーシングと、
前記ケーシングに固定されたモータと、
前記モータの回転軸に固定されたファンとを有し、
前記モータの前記回転軸は、前記吹出口の短辺方向に延び、
前記ケーシングは、前記吹出口における他方短辺側に舌部を有することを特徴とする請求項１から４のいずれかに記載の除湿装置。
【発明の詳細な説明】
【技術分野】
【０００１】
本発明は、例えば衣類乾燥用として用いられる除湿装置に関するものである。
【背景技術】
【０００２】
従来、この種の除湿装置は、上部に送風口を有する本体ケースと、この本体ケース内に設けられた除湿部および送風部と、前記送風口に設けた風向変更部とを備えたものであった。本体ケース内に除湿部を設けた除湿装置は、除湿能力が高いことから、衣類の乾燥用として積極的に活用されている。
【０００３】
すなわち、室内空気を前記除湿部で乾燥空気とし、この乾燥空気を洗濯後の衣類に向けて送風することにより、乾燥の効率化を図ろうとするもので、特に雨振り時や、冬の低温時のように洗濯物が乾きにくい時には、非常に重宝されるものである。（なお、これに関連する先行文献としては下記特許文献１がある）
【先行技術文献】
【特許文献】
【０００４】
【特許文献１】特開２００６−１０２５７８号公報
【発明の概要】
【発明が解決しようとする課題】
【０００５】
上記従来例における課題は、洗濯後の衣類の乾燥速度をさらに向上するということであった。
【０００６】
すなわち、従来の物においては、室内の空気を送風部によって本体ケース内に吸い込み、本体ケース内に設けられた除湿部によって、室内の空気を除湿し、この除湿空気を、送風部によって洗濯後に干された衣類に向けて送風するものである。ここで、洗濯後の衣類を乾燥させる場合には、送風空気の乾燥度、および送風される送風量と、送風が当たる衣類の表面積により、乾燥速度が決まるものである。特に、送風が当たらない部分では乾燥速度が非常に遅くなるため、送風を出来る限り衣類に当て、送風が当たる衣類の表面積を大きくすることが重要である。衣類に当てる送風の表面積を大きくする手段として、従来から、送風口から吹出される送風を自動可動する風向変更部を用いて大きくする方法があるが、風向変更部が一定リズムの風向変化および風速変化の作用にしか働かないため、衣類に当てる送風の表面積の拡大には限界があった。
【０００７】
そこで本発明は、洗濯後の衣類の乾燥速度のさらなる向上を図ることを目的とするものである。
【課題を解決するための手段】
【０００８】
そして、この目的を達成するために、本発明は、吸込口と上方に開口した横長の吹出口を有する本体ケースと、前記本体ケース内に設けられた除湿部と、前記吸込口から吸い込んだ空気を前記除湿部を介して前記吹出口へ送風する送風部と、前記吹出口の上方に、上下方向へ回動自在に設けられた第１の風向変更部と第２の風向変更部と、前記第１の風向変更部を回動させる第１の回動部と、前記第２の風向変更部を回動させる第２の回動部と、前記回動部を制御する制御部とを備え、前記制御部は、前記第１の回動部と前記第２の回動部とを動作が異なるように制御し、前記第１の風向変更部と前記第２の風向変更部とは、前記吹出口の長辺方向に並び、前記第１の風向変更部は、前記吹出口における一方短辺側に設けられ、前記第２の風向変更部は、前記吹出口における他方短辺側に設けられ、前記第１の風向変更部と前記第２の風向変更部との回動軸は、前記吹出口の長辺方向に延び、前記第１の風向変更部は、前記第１の風向変更部の前記吹出口における他方短辺側の端部から下方および前記吹出口における短辺方向に延びた第１の他方整流板を設けたものであり、これにより所期の目的を達成するものである。
【発明の効果】
【０００９】
本発明によれば、吸込口と上方に開口した横長の吹出口を有する本体ケースと、前記本体ケース内に設けられた除湿部と、前記吸込口から吸い込んだ空気を前記除湿部を介して前記吹出口へ送風する送風部と、前記吹出口の上方に、上下方向へ回動自在に設けられた第１の風向変更部と第２の風向変更部と、前記第１の風向変更部を回動させる第１の回動部と、前記第２の風向変更部を回動させる第２の回動部と、前記回動部を制御する制御部とを備え、前記制御部は、前記第１の回動部と前記第２の回動部とを動作が異なるように制御し、前記第１の風向変更部と前記第２の風向変更部とは、前記吹出口の長辺方向に並び、前記第１の風向変更部は、前記吹出口における一方短辺側に設けられ、前記第２の風向変更部は、前記吹出口における他方短辺側に設けられ、前記第１の風向変更部と前記第２の風向変更部との回動軸は、前記吹出口の長辺方向に延び、前記第１の風向変更部は、前記第１の風向変更部の前記吹出口における他方短辺側の端部から下方および前記吹出口における短辺方向に延びた第１の他方整流板を設けた構成としたことにより、前記吹出口における一方短辺側から吹出された送風空気を、前記第２の風向変更部へ流入することを抑制することで、前記吹出口における他方短辺側から吹出された送風空気の流れを阻害することを防ぎ、また吹出口における他方短辺側から吹出された送風空気を、前記第１の風向変更部へ流入することを抑制することで、前記吹出口における一方短辺側から吹出された送風空気の流れを阻害することを防ぐことができ、これにより、前記吹出口から吹出された送風空気が、前記第１の風向変更部と前記第２の風向変更部を効率よく介して吹出されるため、衣類に当たる送風の表面積が大きくなり、乾きムラを低減することで衣類乾燥速度を向上することができる。
【図面の簡単な説明】
【００１０】
【図１】本発明の実施の形態１の除湿装置の外観斜視図
【図２】同除湿装置の断面図
【図３】同除湿装置の吹出口近傍の外観斜視図
【図４】同除湿装置のサイドケースを除いた風向変更部近傍の外観斜視図
【図５】同除湿装置のサイドケースを除いた吹出口近傍の外観斜視図
【図６】同除湿装置の吹出口近傍の外観斜視図
【図７】同除湿装置の送風部の断面斜視図
【発明を実施するための形態】
【００１１】
以下、本発明の実施例について図面を参照しながら説明する。
【００１２】
（実施の形態１）
図１は、本発明の実施の形態１の除湿装置の外観斜視図である。図２は、本発明の実施の形態１の除湿装置の断面図である。
【００１３】
図１、図２に示すように、本体ケース１は箱型であり、この本体ケース１の側面には、左右ともに吸込口２が配置され、上部には吹出口３が配置されている。吹出口３は、横長四角形状で上方に開口している。
【００１４】
本体ケース１内には、圧縮機４と放熱器５と膨張器６と吸熱器７とを順次環状に連結し冷媒を循環する冷凍サイクルを設置し、室内空気を吸込口２から吹出口３に送風する送風部８を設置している。さらに、空気から水分を吸着する吸湿部９および、空気に水分を放出する放湿部１０を有する除湿ロータ１１を備え、放湿部１０に供給される空気、および放湿部１０を加熱する加熱部１２を備えている。
【００１５】
そして、本体ケース１内においては、順次、除湿ロータ１１、吸熱器７、放熱器５、送風部８の順に並設している。吸熱器７と放熱器５の上端は、同じ高さになるように配置されている。除湿ロータ１１は、円板状に形成され中心軸が水平方向にあるように回転可能に立設され、駆動部１３により回転している。さらに除湿ロータ１１の放湿部１０の風上側には、加熱部１２を設置している。放湿部１０と吸熱器７とは、対向するように配置されている。
【００１６】
また、本体ケース１内において、吸熱器７の下方には、漏斗状の集水部１４を設け、さらに、集水部１４の下方には集水タンク１５を、本体ケース１に対して着脱自在に配置している。つまり、吸熱器７部分で結露をさせ、その結露水を漏斗状の集水部１４で集めて集水タンク１５に流入させるようにしているのである。
【００１７】
本体ケース１内には、第１送風路１Ａと、第２送風路１Ｂと、第３送風路１Ｃとを備えている。
【００１８】
第１送風路１Ａは、送風部８によって吸込口２から空気を吸引し吸湿部９に供給し、送風部８を介して吹出口３に排出する風路である。第１送風路１Ａにおいては、吸込口２から吸い込まれた室内空気は除湿ロータ１１の吸湿部９に供給される。この時、空気中の水分が吸湿部９に吸着され、乾燥した空気となる。さらに、水分を吸着する際の吸着熱が発生するので、室内空気は湿度が低減し、温度が上昇した状態で、放熱器５および吸熱器７の上方を主に介して送風部８に吸引され、吹出口３から室内へ送風されることになる。
【００１９】
第２送風路１Ｂは、送風部８によって吸込口２から空気を吸引し加熱部１２、放湿部１０、吸熱器７、放熱器５の順に供給し、送風部８を介して吹出口から排出する風路である。第２送風路１Ｂにおいては、加熱部１２によって温められた室内空気は、除湿ロータ１１の放湿部１０に供給される。放湿部１０では、吸湿部９で吸着した水分が除湿ロータ１１の回転駆動により放湿部１０に移動し、加熱部１２の加熱により供給された空気に放出される。この高湿の空気が吸熱器７に供給され、冷却されることにより結露し、水分は水滴として取出される。この後、冷却された空気は、放熱器５に供給され、放熱器５を冷却する。そして、放熱器５から熱を奪い、温度が上昇した空気が送風部８に吸引されることになる。冷凍サイクルとしては、放熱器５を効果的に冷却することが、吸熱器７を冷却するに際して、冷却効率を上昇させることになる。
【００２０】
第３送風路１Ｃは、送風部８によって吸込口２から空気を吸引し放熱器５に供給し、送風部８を介して吹出口３から排出する風路である。第３送風路１Ｃにおいては、吸込口２から吸い込まれた室内空気は、加熱部１２と除湿ロータ１１と吸熱器７の下方を主に介して放熱器５に供給され、放熱器５を冷却したのち、送風部８に吸引されることになる。
【００２１】
吸熱器７における冷却結露に対しては、その表面積や冷凍サイクルの動作熱量などにより、最適風量が存在する。一方、冷凍サイクルとしては、放熱器５を効果的に冷却することが、吸熱器７を冷却するに際して、冷却効率を上昇させることになる。上述のように第３送風路１Ｃを配置することにより、放熱器５により多くの風量を供給することができるので、冷凍サイクルの冷却効率を向上させることができ、除湿装置の除湿効率を向上させることができるものである。なお、冷凍サイクルと、除湿ロータ１１と、加熱部１２と、駆動部１３とが、除湿部である。
【００２２】
図３は、本発明の実施の形態１の除湿装置の吹出口近傍の外観斜視図である。図４は、本発明の実施の形態１の除湿装置のサイドケースを除いた風向変更部近傍の外観斜視図である。
【００２３】
図３、図４に示すように、上方に開口した吹出口３の上方に第１の風向変更部１６と第２の風向変更部１７とが、回動自在に設けられている。第１の風向変更部１６は、第１の回動部１８によって上下方向に回動するように移動し、第２の風向変更部１７は、第２の回動部（図示せず）によって上下方向に回動するように移動する。）
図３、図４に示すように、上方に開口した吹出口３の上方に第１の風向変更部１６と第２の風向変更部１７とが、回動自在に設けられている。第１の風向変更部１６と第２の風向変更部１７とは、回動する方向に対して垂直方向に配置されている。具体的には、第１の風向変更部１６と第２の風向変更部１７とは、吹出口３の長辺方向に並び、吹出口３における右側（吹出口３における一方短辺側）には、第１の風向変更部１６を備え、吹出口３における左側（吹出口における他方短辺側）には、第２の風向変更部１７を備えている。第１の風向変更部１６と第２の風向変更部１７との回動軸は、吹出口３の長辺方向に延びている。
【００２４】
第１の風向変更部１６は、略平板形状の第１の風向板２０と、第１の風向板２０の左右端部から水平方向へ延びた２本の第１の軸部分２１とを備えている。吹出口３には、２本の軸部分を支持する２つの第１の支持部分２２が設けられている。第１の軸部分２１の一方側には、第１のギア２３が固定されている。
【００２５】
第１の回動部１８は、第１のモータ２４と、第１のモータ２４の回転軸に固定された第１のモータギア２５とを備えている。第１のモータギア２５は、第１のギア２３と噛み合い、第１のモータ２４が駆動すると、第１のモータギア２５が回動し、第１のギア２３、第１の軸部分２１を介して、第１の風向板２０が回動する。
【００２６】
第２の風向変更部１７は、横長四角形の略平板形状の第２の風向板２６と、第２の風向板２６の短辺から外方に水平方向へ延びた２本の第２の軸部分（図示せず）とを備えている。吹出口３には、２本の軸部分を支持する２つの第２の支持部分２８が設けられている。第２の軸部分の一方側には、第２のギア（図示せず）が固定されている。
【００２７】
第２の回動部（図示せず）は、第２のモータ（図示せず）と、第２のモータの回転軸に固定された第２のモータギア（図示せず）とを備えている。第２のモータギアは、第２のギアと噛み合い、第２のモータが駆動すると、第２のモータギアが回動し、第２のギア、第２の軸部分を介して、第２の風向板２６が回動する。
【００２８】
第１の風向変更部１６および第１の回動部１８と第２の風向変更部１７と第２の回動部は本体左右の中心において左右対称の構成である。
【００２９】
第１の風向変更部１６と第２の風向変更部１７とは、回動する方向に対して垂直方向に並んでいる。吹出口３における右側には、第１の風向変更部１６を備え、吹出口３における左側には、第２の風向変更部１７を備えている。第１の風向変更部１６である第１の風向板２０の第１の軸部分２１と、第２の風向変更部１７である第２の風向板２６の第２の軸部分とは、同軸上に配置され、本体ケース１における左右方向に延びている。
【００３０】
吹出口３における右側の端部には、第１のサイドケース３２ａを備え、第１のサイドケース３２ａ内には、第１のモータ２４と、第１のモータギア２５と、第１のギア２３とを備えている。第１のサイドケース３２ａの左側には、第１の風向板２０の一方側の第１の軸部分２１を支持する第１の支持部分２２を備えている。
【００３１】
吹出口３における左側の端部には、第２のサイドケース３２ｂを備え、第２のサイドケース３２ｂ内には、第２のモータと、第２のモータギアと、第２のギアとを備えている。第２のサイドケース３２ｂの右側には、第２の風向板２６の一方側の第２の軸部分を支持する第２の支持部分２８を備えている。
【００３２】
第１のサイドケース３２ａと第２のサイドケース３２ｂとの間には、吹出口３から上方へ突出した第３のサイドケース３２ｃを備えている。第３のサイドケース３２ｃの右側には、第１の風向板２０の他方側の第１の軸部分２１を支持する第１の支持部分２２を備え、第３のサイドケース３２ｃの左側には、第２の風向板２６の他方側の第２の軸部分を支持する第２の支持部分２８を備えている。
【００３３】
図５は、本発明の実施の形態１の除湿装置のサイドケースを除いた吹出口近傍の外観斜視図である。
【００３４】
図５に示すように、本体ケース１の上部には、操作部３３と、制御部３４とを備えている。操作部３３によって、運転モードを設定すると、制御部３４が、第１のモータ２４と第２のモータの動作を制御する。この制御部３４により、第１の風向変更部１６と第２の風向変更部１７は約９０度の角度で回転往復運動を繰り返す動作を行う。
【００３５】
図６は、本発明の実施の形態１の除湿装置の吹出口近傍の外観斜視図である。
【００３６】
本実施形態の特徴は、図６に示すように、第１の風向変更部１６を吹出口３における一方短辺側（本体ケース１の後面側から見て右側）に設け、第２の風向変更部１７を吹出口３における他方短辺側（本体ケース１の後面側から見て左側）に設けている。第１の風向変更部１６は、第１の風向変更部１６の吹出口３における他方短辺側（本体ケースの前面側から見て左側）の端部から下方および吹出口３における短辺方向に延びた横長板形状の第１の他方整流板３５を設けたことである。
【００３７】
このような構成によれば、第１の風向変更部１６が第２の風向変更部１７より開いた場合であれば、第１の他方整流板３５が吹出口３における一方短辺側（本体ケースの後面側から見て右側）から吹出された送風空気を、第１の風向変更部１６の他方側（第２の風向変更部側）から漏れ出ることを抑制し、第１の風向変更部１６の先端側へ風を送ることができる。また、第１の風向変更部１６が第２の風向変更部１７より閉じた場合及び、第１の風向変更部１６と第２の風向変更部１７の位置が揃う場合であれば、第１の他方整流板３５が吹出口３における一方短辺側から吹出された送風空気を第１の風向変更部１６の他方側（第２の風向変更部側）から第２の風向変更部１７側へ漏れ出ることを抑制し、第１の風向変更部１６の先端側へ風を送るとともに、第２の風向変更部１７への流入を抑制し、吹出口３における他方短辺側（本体ケースの後面側から見て左側）から吹出された送風空気の流れを阻害することを防ぐことができる。
【００３８】
これにより、吹出口３から吹出された送風空気が、第１の風向変更部１６と第２の風向変更部１７を介して効率よく送風されるため、風量の低下が抑制され、衣類に当たる送風の表面積が大きくなり、乾きムラを低減することで衣類乾燥速度を向上することができる。
【００３９】
また、第２の風向変更部１７は、第２の風向変更部１７の吹出口３における一方短辺側（本体ケースの後面側から見て右側）の端部から下方および吹出口３における短辺方向に延びた横長板形状の第２の一方整流板３６を設けてもよい。
【００４０】
このような構成によれば、第２の風向変更部１７が第１の風向変更部１６より開いた場合であれば、第２の一方整流板３６が他方の吹出口３から吹出された送風空気を第２の風向変更部１７の一方側（第１の風向変更部側）から漏れ出ることを抑制し、第２の風向変更部１７の先端側へ風を送ることができる。また、第２の風向変更部１７が第１の風向変更部１６より閉じた場合、及び、第２の風向変更部１７と第１の風向変更部１６の位置が揃う場合であれば、第２の一方整流板３６が吹出口３における他方短辺側（本体ケース１の後面側から見て左側）から吹出された送風空気を、第２の風向変更部１７の一方側（第１の風向変更部１６側）から第１の風向変更部１６側へ漏れ出ることを抑制し、第２の風向変更部１７の先端側へ風を送るとともに、第１の風向変更部１６への流入を抑制し、吹出口３における一方短辺側から吹出された送風空気の流れを阻害することを防ぐことができる。
【００４１】
これにより、吹出口３から吹出された送風空気が、第１の風向変更部１６と第２の風向変更部１７を介して効率よく吹出されるため、風量の低下が抑制され、衣類に当たる送風の表面積が大きくなり、乾きムラを低減することで衣類乾燥速度を向上することができる。
【００４２】
また、第１の風向変更部１６は、第１の風向変更部１６の吹出口３における一方短辺側の端部から下方および吹出口３における短辺方向に延びた横長板形状の第１の一方整流板３７を設けてもよい。
【００４３】
このような構成によれば、第１の一方整流板３７が、吹出口３における一方短辺側（本体ケース１の後面側から見て右側）から吹出された送風空気を、第１の風向変更部１６の一方側（第１のサイドケース側）から漏れ出ることを抑制し、第１の風向変更部１６の先端側へ風を送ることができ、吹出口３から吹出された送風空気が、第１の風向変更部１６を介して効率よく吹出されるため、衣類に当たる送風の表面積が大きくなり、乾きムラを低減することで衣類乾燥速度を向上することができる。
【００４４】
また、第２の風向変更部１７は、第２の風向変更部１７の吹出口３における他方短辺側の端部から下方および吹出口３における短辺方向に延びた横長板形状の第２の他方整流板３８を設けてもよい。
【００４５】
このような構成によれば、第２の他方整流板３８が、吹出口３における他方短辺側（本体ケース１の後面側から見て左側）から吹出された送風空気を、第２の風向変更部１７の他方側（第２のサイドケース側）から漏れ出ることを抑制し、第１の風向変更部１６の先端側へ風を送ることができ、吹出口３から吹出された送風空気が、第２の風向変更部１７を効率よく介して吹出されるため、衣類に当たる送風の表面積が大きくなり、乾きムラを低減することで衣類乾燥速度を向上することができる。
【００４６】
図７は、本発明の実施の形態１の除湿装置の送風部の断面斜視図である。
【００４７】
図７に示すように、送風部８は、スクロール形状のケーシング８ａと、ケーシング８ａに固定されたモータ８ｂと、モータ８ｂの回転軸に固定されたファン８ｃとを有している。モータ８ｂの回転軸は、吹出口３の短辺方向（本体ケース１における前後方向）に延び、ケーシング８ａは、吹出口３における他方短辺側（本体ケースの後面側から見て左側）に舌部８ｄを設けた構成としてもよい。具体的には、図に示すようにケーシング８ａは、モータ８ｂを固定し吸込口を有する吸込面８ｅと、この吸込面８ｅに対向した吸込対向面８ｆと、吸込面８ｅと吸込対向面８ｆの間に挟まれたスクロール面８ｇとを有している。舌部８ｄは、スクロール面８ｇにおける吹出口３の一方短辺側（本体ケースの後面側から見て右側）または他方短辺側（本体ケースの後面側から見て左側）に配置されている。
【００４８】
これにより、ファン８ｃの回転軸方向が、本体ケース１における前後方向となるので、本体ケース１の水平断面を横長四角形状とすることができ、吹出口３の横長四角形状の長辺方向と、本体ケース１の水平断面の長辺方向と同一方向に配置できるので、本体ケース１の小型化ができる。
【００４９】
一例として、舌部８ｄが、スクロール面８ｇにおける吹出口３の他方短辺側（本体ケースの後面側から見て左側）に配置されている構成について説明する。このような構成によれば、舌部８ｄ側に偏った流れの送風空気に対し、第１の風向変更部１６が第２の風向変更部１７より開いた場合であれば、第１の他方整流板３５が、吹出口３における一方短辺側（本体ケースの後面側から見て右側）から吹出された送風空気を、第１の風向変更部１６の他方側（第２の風向変更部側）から漏れ出ることを抑制し、第１の風向変更部１６の先端側へ風を送ることができる。また、第２の一方整流板３６が第２の風向変更部１７への流入を抑制し、吹出口３における他方短辺側（本体ケースの後面側から見て左側）から吹出された送風空気の流れを阻害することを防ぐことができる。また、第２の他方整流板３８が吹出口３における他方短辺側（本体ケースの後面側から見て左側）から吹出された送風空気を、第２の風向変更部１７の他方側から漏れ出ることを抑制し第２の風向変更部１７の先端側へ風を送ることができる。
【００５０】
また、第１の風向変更部１６が第２の風向変更部１７より閉じた場合であれば、第１の他方整流板３５が、吹出口３における一方短辺側（本体ケースの後面側から見て右側）から吹出された送風空気を、第１の風向変更部１６の他方側（第２の風向変更部側）から漏れ出ることを抑制し、第１の風向変更部１６の先端側へ風を送るとともに、第２の風向変更部１７への流入を抑制し、吹出口３における他方短辺側（本体ケース１の後面側から見て左側）から吹出された送風空気の流れを阻害することを防ぐことができる。さらに第２の他方整流板が、吹出口３における他方短辺側（本体ケース１の後面側から見て左側）から吹出された送風空気を、第２の風向変更部１７の他方側（第２のサイドケース側）から漏れ出ることを抑制し第２の風向変更部１７の先端側へ風を送ることができる。
【００５１】
これにより、吹出口３から吹出された送風空気を、第１の風向変更部１６と第２の風向変更部１７を介して効率よく吹出されるため、衣類に当たる送風の表面積が大きくなり、乾きムラを低減することで衣類乾燥速度を向上することができる。
【産業上の利用可能性】
【００５２】
本発明にかかる除湿装置は、乾きムラを低減することで衣類乾燥速度の向上を可能とするものであるので、衣類乾燥用に使用される除湿装置等として有用である。
【符号の説明】
【００５３】
１    本体ケース
１Ａ    第１送風路
１Ｂ    第２送風路
１Ｃ    第３送風路
２    吸込口
３    吹出口
４    圧縮機
５    放熱器
６    膨張器
７    吸熱器
８    送風部
８ａ    ケーシング
８ｂ    モータ
８ｃ    ファン
８ｄ    舌部
８ｅ    吸込面
８ｆ    吸込対向面
８ｇ    スクロール面
９    吸湿部
１０    放湿部
１１    除湿ロータ
１２    加熱部
１３    駆動部
１４    集水部
１５    集水タンク
１６    第１の風向変更部
１７    第２の風向変更部
１８    第１の回動部
２０    第１の風向板
２１    第１の軸部分
２２    第１の支持部分
２３    第１のギア
２４    第１のモータ
２５    第１のモータギア
２６    第２の風向板
２８    第２の支持部分
３２ａ    第１のサイドケース
３２ｂ    第２のサイドケース
３２ｃ    第３のサイドケース
３３    操作部
３４    制御部
３５    第１の他方整流板
３６    第２の一方整流板
３７    第１の一方整流板
３８    第２の他方整流板
【図１】
2018141591.tif 000003
【図２】
2018141591.tif 000004
【図３】
2018141591.tif 000005
【図４】
2018141591.tif 000006
【図５】
2018141591.tif 000007
【図６】
2018141591.tif 000008
【図７】
2018141591.tif 000009